(57)【特許請求の範囲】
【請求項１】
第１の文書データ及び第２の文書データを含む複数の文書データを記憶可能な記憶手段の文書データを印刷するよう制御する印刷装置であって、
前記記憶手段に記憶された第１の文書データに対応する印刷物を出力するための第１の指示、または、前記記憶手段に記憶された第２の文書データに対応する印刷物を出力するための第２の指示、または、前記記憶手段に記憶された前記第１の文書データと前記第２の文書データに対応する印刷物を出力するための第３の指示、または、合紙を挿入する指示を、操作手段を介してユーザから受け付ける受付手段と、
前記受付手段によって、前記第１の指示を受け付けた場合に前記第１の文書データに対応する印刷物を出力し、前記第２の指示を受け付けた場合に前記第２の文書データに対応する印刷物を出力し、前記第３の指示を受け付けた場合に、前記第１の文書データと前記第２の文書データに対応する印刷物を出力するよう制御する制御手段とを有し、
前記制御手段は、
前記第３の指示を受付け、合紙を挿入するよう指示された場合に、前記第１の文書データに対応する印刷物と前記第２の文書データに対応する印刷物との間に、合紙を挿入するよう制御することを特徴とする印刷装置。
【請求項２】
請求項１記載の印刷装置であって、
前記制御手段は、
前記記憶手段に記憶された前記第１の文書データと前記第２の文書データに対応する印刷物を出力する場合に、
前記合紙に前記第２の文書データの少なくとも１ページの画像を印刷するよう制御することを特徴とする印刷装置。
【請求項３】
請求項１又は２記載の印刷装置であって、
前記制御手段は、
前記記憶手段に記憶された前記第１の文書データと前記第２の文書データに対応する印刷物を出力する場合に、
前記第１の文書データに対応する印刷物の前に表紙が挿入された印刷物を出力するよう制御することを特徴とする印刷装置。
【請求項４】
請求項３記載の印刷装置であって、
前記制御手段は、
前記記憶手段に記憶された前記第１の文書データと前記第２の文書データに対応する印刷物を出力する場合に、
前記表紙に前記第１の文書データの少なくとも１ページの画像を印刷するよう制御することを特徴とする印刷装置。
【請求項５】
請求項１乃至４の何れかに記載の印刷装置であって、
前記制御手段は、
前記記憶手段に記憶された前記第１の文書データと前記第２の文書データに対応する印刷物を出力する場合に、
前記第２の文書データに対応する印刷物の後に裏表紙が挿入された印刷物を出力するよう制御することを特徴とする印刷装置。
【請求項６】
請求項５記載の印刷装置であって、
前記制御手段は、
前記記憶手段に記憶された前記第１の文書データと前記第２の文書データに対応する印刷物を出力する場合に、
前記裏表紙に前記第２の文書データの少なくとも１ページの画像を印刷するよう制御することを特徴とする印刷装置。
【請求項７】
請求項１乃至６の何れかに記載の印刷装置であって、
前記制御手段は、
前記記憶手段に記憶された前記第１の文書データと前記第２の文書データに対応する印刷物を印刷する場合に、
前記第１の文書データに対応する印刷物と前記第２の文書データに対応する印刷物との間に前記合紙が挿入された印刷物に対する綴じ処理を実行するよう制御することを特徴とする印刷装置。
【請求項８】
請求項１乃至７の何れかに記載の印刷装置であって、
前記制御手段は、
前記記憶手段に記憶された前記第１の文書データと前記第２の文書データに対応する印刷物を出力するのに先立って、前記操作手段を介してユーザから頁番号を付与する指示を受け付けた場合に、
前記第１の文書データに対応する印刷物と前記第２の文書データに対応する印刷物とで頁番号が連続した印刷物を出力するよう制御することを特徴とする印刷装置。
【請求項９】
請求項１乃至８の何れかに記載の印刷装置であって、
前記制御手段は、
前記記憶手段に記憶された前記第１の文書データと前記第２の文書データに対応する印刷物を出力する場合に、複数の文書データに対応する印刷物を出力するための前記指示を、前記操作手段を介してユーザから受け付けなかった場合に、
前記第１の文書データに対応する印刷物と前記第２の文書データに対応する印刷物をそれぞれ個別に出力することを特徴とする印刷装置。
【請求項１０】
第１の文書データ及び第２の文書データを含む複数の文書データを記憶可能な記憶手段の文書データを印刷する印刷装置の制御方法であって、
前記記憶手段に記憶された第１の文書データに対応する印刷物を出力するための第１の指示、または、前記記憶手段に記憶された第２の文書データに対応する印刷物を出力するための第２の指示、または、前記記憶手段に記憶された前記第１の文書データと前記第２の文書データに対応する印刷物を出力するための第３の指示、または、合紙を挿入する指示を、操作手段を介してユーザから受け付け、前記第１の指示を受け付けた場合に前記第１の文書データに対応する印刷物を出力し、前記第２の指示を受け付けた場合に前記第２の文書データに対応する印刷物を出力し、前記第３の指示を受け付けた場合に、前記第１の文書データと前記第２の文書データとを用いた１セット分の印刷物を出力するよう制御し、
前記第３の指示を受付け、合紙を挿入するよう指示された場合に、前記第１の文書データに対応する印刷物と前記第２の文書データに対応する印刷物との間に、合紙を挿入するよう制御することを特徴とする制御方法。
【請求項１１】
請求項１０記載の制御方法であって、
前記制御方法は、
前記記憶手段に記憶された前記第１の文書データと前記第２の文書データに対応する印刷物を出力する場合に、
前記合紙に前記第２の文書データの少なくとも１ページの画像を印刷するよう制御することを特徴とする制御方法。
【請求項１２】
請求項１０又は１１記載の制御方法であって、
前記制御方法は、
前記記憶手段に記憶された前記第１の文書データと前記第２の文書データに対応する印刷物を出力する場合に、
前記第１の文書データに対応する印刷物の前に表紙が挿入された印刷物を出力するよう制御することを特徴とする制御方法。
【請求項１３】
請求項１２記載の制御方法であって、
前記制御方法は、
前記記憶手段に記憶された前記第１の文書データと前記第２の文書データに対応する印刷物を出力する場合に、
前記表紙に前記第１の文書データの少なくとも１ページの画像を印刷するよう制御することを特徴とする制御方法。
【請求項１４】
請求項１０乃至１３の何れかに記載の制御方法であって、
前記制御方法は、
前記記憶手段に記憶された前記第１の文書データと前記第２の文書データに対応する印刷物を出力する場合に、
前記第２の文書データに対応する印刷物の後に裏表紙が挿入された印刷物を出力するよう制御することを特徴とする制御方法。
【請求項１５】
請求項１４記載の制御方法であって、
前記制御方法は、
前記記憶手段に記憶された前記第１の文書データと前記第２の文書データに対応する印刷物を出力する場合に、
前記裏表紙に前記第２の文書データの少なくとも１ページの画像を印刷するよう制御することを特徴とする制御方法。
【請求項１６】
請求項１０乃至１５の何れかに記載の制御方法であって、
前記制御方法は、
前記記憶手段に記憶された前記第１の文書データと前記第２の文書データに対応する印刷物を出力する場合に、
前記第１の文書データに対応する印刷物と前記第２の文書データに対応する印刷物との間に前記合紙が挿入された印刷物に対する綴じ処理を実行するよう制御することを特徴とする制御方法。
【請求項１７】
請求項１０乃至１６の何れかに記載の制御方法であって、
前記制御方法は、
前記記憶手段に記憶された前記第１の文書データと前記第２の文書データに対応する印刷物を出力するのに先立って、前記操作手段を介してユーザから頁番号を付与する指示を受け付けた場合に、
前記第１の文書データに対応する印刷物と前記第２の文書データに対応する印刷物とで頁番号が連続した印刷物を出力するよう制御することを特徴とする制御方法。
【請求項１８】
請求項１０乃至１７の何れかに記載の制御方法であって、
前記制御方法は、
前記記憶手段に記憶された前記第１の文書データと前記第２の文書データに対応する印刷物を印刷する場合に、複数の文書データに対応する印刷物を印刷するための前記指示を、前記操作手段を介してユーザから受け付けなかった場合に、
前記第１の文書データに対応する印刷物と前記第２の文書データに対応する印刷物をそれぞれ個別に印刷するよう制御することを特徴とする制御方法。
【請求項１９】
請求項１０乃至１８の何れかに記載の制御方法をコンピュータに実行させるためのプログラムを記録したコンピュータ読み取り可能な記憶媒体。
【発明の詳細な説明】
【０００１】
【発明の属する技術分野】
本発明は、第１の文書データ及び第２の文書データを含む複数の文書データを記憶可能な記憶手段の文書データを印刷装置により印刷可能にした印刷装置および制御方法および記憶媒体に関するものである。
【０００２】
【従来の技術】
近年の複写機等の画像形成装置はデジタル化に伴い、複写機のスキャナ、プリンタを使用してファクシミリ送受信を行ったり、ＰＤＬ（Ｐａｇｅ・Ｄｅｓｃｒｉｐｔｉｏｎ・Ｌａｎｇｕａｇｅ）プリンタ等、複数の機能を合わせ持つ複合機が実用化されてきている。この様な複合機は、複写機機能、ファクシミリ機能、ＰＤＬプリント機能等の単機能だけでなく、例えばＰＤＬ展開画像をファクシミリ送信するといった複数の機能間でも動作可能となるように構成されている。
【０００３】
さらに、複合機をＬＡＮ経由で接続することにより、コンピュータ装置等でも複合機の機能を利用できるように構成されている。
【０００４】
また、このような複合機では画像データを蓄積する大容量のハードディスクを具備し、このハードディスクにスキャナやＰＤＬの展開画像、ファクシミリ受信文書等を蓄積し、蓄積された画像データをプリントアウトしたり、ファクシミリ送信したり、ネットワークを介してコンピュータ装置へ画像転送する等の組み合わせにより、所望の機能を提供できるように構成されている。
【０００５】
さらに、蓄積された画像データをハードディスク内に文書として長期間保存可能とし、必要に応じて所望の文書の画像データを読み出して出力することが可能である。
【０００６】
また、ハードディスク内に文書として蓄積された複数の文書を一括してプリントすることが可能なように構成されている。
【０００７】
【発明が解決しようとする課題】
しかしながら、上記従来例では、ハードディスク内に蓄積された複数の文書を出力する際に、文書毎にジョブを生成して画像形成するために、文書と文書の切れ目がわかり難いという問題があった。
【０００８】
なお、上記複写機機能の従来例では合紙（または仕切紙という、以下合紙と仕切紙は同じものを指すものとする（同じ意味として用いる））を挿入する合紙機能があるが、合紙を挿入する場所を指定するために、例えば、まずオペレータがオリジナルの原稿束を確認し、そしてそのなかから合紙を挿入すべきページ位置をオペレータ自らが決めて、原稿束の中の当該ページ位置を操作部等を介してオペレータ自身で指定する必要があった。
【０００９】
しかし、このような従来の合紙挿入方法では、一旦ハードディスク内に蓄積された任意に組み合わせ可能な複数の文書のページ位置指定をするのは非常に困難であるという問題点があった。
【００１０】
本発明は、上記の問題点を解決するためになされたもので、本発明の目的は、印刷装置内に蓄積された複数の文書を出力する場合でも容易に文書と文書の切れ目を区分けすることができる仕組を提供することである。
【００１１】
【課題を解決するための手段】
本発明は、第１の文書データ及び第２の文書データを含む複数の文書データを記憶可能な記憶手段の文書データを印刷するよう制御する印刷装置であって、前記記憶手段に記憶された第１のジョブに対応する印刷物をする出力するための第１の指示、または、前記記憶手段に記憶された第２のジョブに対応する印刷物を出力するための第２の指示、または、前記記憶手段に記憶された前記第１の文書データと前記第２の文書データに対応する印刷物を出力するための第３の指示、または、合紙を挿入する指示を、操作手段を介してユーザから受け付ける受付手段と、前記受付手段によって、前記第１の指示を受け付けた場合に前記第１の文書データに対応する印刷物を出力し、前記第２の指示を受け付けた場合に前記第２の文書データに対応する印刷物を出力し、前記第３の指示を受け付けた場合に、前記記憶手段に記憶された前記第１の文書データと前記第２の文書データに対応する印刷物を出力するよう制御する制御手段を有し、前記制御手段は、前記第３の指示を受付け、合紙を挿入するよう指示された場合に、前記第１の文書データに対応する印刷物と前記第２の文書データに対応する印刷物との間に、合紙を挿入するよう制御することを特徴とする。
【００２６】
【発明の実施の形態】
図１は、本発明の一実施形態を示す画像形成装置を適用可能な画像入出力装置の構成を示すブロック図である。
【００２７】
図において、１はリーダ部で、原稿の画像を読み取り、原稿画像に応じた画像データを画像入出力制御部３へ出力する。２はプリンタ部で、画像入出力制御部３からの画像データに応じた画像を記録紙上に記録する。画像入出力制御部３は、リーダ部１およびプリンタ部２に接続されており、ファクシミリ部４、ストレージ部５、コンピュータインタフェース部７、ＲＩＰ部８、操作部９、コア部１０等からなる。
【００２８】
ファクシミリ部４は、電話回線を介して受信した圧縮画像データを伸長して、伸長された画像データをコア部１０へ転送し、またコア部１０から転送された画像データを圧縮して、圧縮された圧縮画像データを電話回線を介して送信する。ファクシミリ部４が、送受信する画像データは、ストレージ部５に接続されたハードディスク６中に一時的に保存することができる。
【００２９】
ストレージ部５にはハードディスク６が接続されており、ストレージ部５は、コア部１０から転送された画像データを圧縮し、その画像データを検索するためのＩＤ番号とともにハードディスク６に記憶させる。また、ストレージ部５は、コア部１０を介して転送されたコードデータに基づいてハードディスク６に記憶されている圧縮画像データを検索し、検索された圧縮画像データを読み出して伸長し、伸長された画像データをコア部１０へ転送する。
【００３０】
コンピュータインタフェース部７は、パーソナルコンピュータ又はワークステーション（ＰＣ／ＷＳ）１１とコア部１０の間のインタフェースであり、ＰＣ／ＷＳ１１と１対１のローカルインタフェースで接続しても、Ｅｔｈｅｒｎｅｔ等のネットワークで接続しても良い。ＲＩＰ部８は、ＰＣ／ＷＳ１１から転送された画像を表すコードデータ(PＤＬ )をプリンタ部２で記録できる画像データに展開するものである。
【００３１】
操作部９は、タッチパネルディスプレイとハードキーを備え、ユーザインタフェースにより、画像入出力装置への動作指示や動作設定等を行うものである。
【００３２】
コア部１０については後述するが、コア部１０は、リーダ部１，プリンタ部２、ファクシミリ部４，ストレージ部５，コンピュータインタフェース部７，ＲＩＰ部８，操作部９のそれぞれの間のデータの流れを制御するものである。
【００３３】
図２は、図１に示したリーダ部１及びプリンタ部２の断面図であり、図１と同一のものには同一の符号を付してある。
【００３４】
以下、構成および動作について説明する。
【００３５】
リーダ部１において、１０１は原稿給送装置で、原稿を先頭順に１枚ずつプラテンガラス１０２上へ給送し、原稿の読み取り動作終了後、プラテンガラス１０２上の原稿を排出するものである。原稿がプラテンガラス１０２上に搬送されると、ランプ１０３を点灯し、そしてスキャナユニット１０４の移動を開始させて、原稿を露光走査する。この時の原稿からの反射光は、ミラー１０５、１０６、１０７、及びレンズ１０８によってＣＣＤイメージセンサ（以下ＣＣＤという）１０９へ導かれる。このように、走査された原稿の画像はＣＣＤ１０９によって読み取られる。ＣＣＤ１０９から出力される画像データは、所定の処理が施された後、画像入出力制御部３のコア部１０へ転送される。
【００３６】
プリンタ部２において、２２１はレーザドライバで、レーザ発光部２０１を駆動するものであり、画像入出力制御部３のコア部１０から出力された画像データに応じたレーザ光をレーザ発光部２０１に発光させる。このレーザ光は感光ドラム２０２に照射され、感光ドラム２０２にはレーザ光に応じた潜像が形成される。この感光ドラム２０２の潜像の部分には現像器２０３によって現像剤が付着される。
【００３７】
そして、レーザ光の照射開始と同期したタイミングで、給紙カセット２０４、給紙カセット２０５、手差しトレイ２１１のいずれかから記録紙を給紙して転写部２０６へ搬送し、感光ドラム２０２に付着された現像剤を記録紙に転写する。現像剤の乗った記録紙は定着部２０７に搬送され、定着部２０７の熱と圧力により現像剤は記録紙に定着される。
【００３８】
定着部２０７を通過した記録紙は排出ローラ２０８によって排出され、フィニッシャ２２０は記録紙をステイプルしたり、パンチ穴を開けて、それぞれの排紙トレイに排紙する。また、両面記録が設定されている場合は、排出ローラ２０８のところまで記録紙を搬送した後、排出ローラ２０８の回転方向を逆転させ、フラッパ２０９によって再給紙搬送路２１０へ導く。再給紙搬送路２１０へ導かれた記録紙は上述したタイミングで転写部２０６へ給紙される。
【００３９】
図３は、図１に示したコア部１０の構成を説明するブロック図であり、図１と同一のものには同一の符号を付してある。
【００４０】
図に示すように、１２１はデータ処理部で、画像の回転処理や変倍処理などの画像処理や画像データの圧縮、伸長を行うものであり、内部に画像データを格納する不図示のページメモリを有する。リーダ部１からの画像データはインタフェース（Ｉ／Ｆ）１２２を介して、データ処理部１２１へ転送される。リーダ部１からデータ処理部１２１へ転送された画像データは、ページメモリに一時的に記憶された後、圧縮されてストレージ部５へ転送される。
【００４１】
また、コンピュータインタフェース部７を介して入力された画像を表すコードデータ(PＤＬ )は、インタフェース１２０を介してデータ処理部１２１に転送された後、ＲＩＰ部８へ転送されて画像データに展開され、この画像データはデータ処理部１２１に転送された後、ストレージ部５へ転送される。
【００４２】
ファクシミリ部４からの画像データは、データ処理部１２１へ転送された後、ストレージ部５へ転送される。
【００４３】
また、ストレージ部５からの画像データは、データ処理部１２１へ転送された後、プリンタ部２やファクシミリ部４、コンピュータインタフェース部７へ転送される。１２３はＣＰＵで、メモリ１２４に記憶されている制御プログラム、及び操作部９から転送された制御コマンドに従ってこのような制御を行う。また、メモリ１２４はＣＰＵ１２３の作業領域としても使われる。
【００４４】
このように、コア部１０を中心に、ストレージ部５を介して、原稿画像の読み取り、画像のプリント、画像の送受信、画像の保存、コンピュータからのデータの入出力などの機能を複合させた処理を行うことが可能である。
【００４５】
以下、図４を参照して、本実施形態に係る画像入出力装置におけるジョブ制御について説明する。
【００４６】
図４は、本発明の画像形成装置を適用可能な画像入力装置におけるジョブ制御の単位を論理的に示したものであり、図１と同一のものには同一の符号を付してある。
【００４７】
ジョブ制御の単位は複数ページを含む画像データひとまとまりに対する入力および出力処理である。これにより制御されるジョブは画像入力ジョブと画像出力ジョブに大別される。画像入力ジョブは、リーダ部１で読み取った画像データを順次ストレージ部５へ記録する画像入力ジョブ４１１、ＲＩＰ部８で展開された画像データを順次ストレージ部５へ記録する画像入力ジョブ４１２、ファクシミリ部４で受信された画像データを順次ストレージ部５へ記録する画像入力ジョブ４１３、コンピュータインタフェース７部から入力された画像データを順次ストレージ部５へ記録する画像入力ジョブ４１４にさらに分類される。
【００４８】
また、画像出力ジョブは、ストレージ部５から読み出した画像データを順次プリンタ部２へ出力する画像出力ジョブ４０１、ストレージ部５から読み出した画像データを順次ファクシミリ部４へ出力する画像出力ジョブ４０３、ストレージ部５から読み出した画像データを順次コンピュータインタフェース部７へ出力する画像出力ジョブ４０４に分類される。
【００４９】
図５は、図４に示した複数のジョブ（画像入力ジョブ４１１〜４１４，画像出力ジョブ４０１，４０３，４０４）を組み合わせた単位（以下セッションと呼ぶ）の一例を示した図である。
【００５０】
図において、５０１はＰＤＬプリントセッションで、画像入力ジョブ４１２と画像出力ジョブ４０１を組み合わせてセッションとして制御するものである。５０２はコピーセッションで、画像入力ジョブ４１１と画像出力ジョブ４０１を組み合わせてセッションとして制御するものである。
【００５１】
５０３はＰＤＬ記録セッションで、画像入力ジョブ４１２のみでセッションとして制御するものである。５０４はスキャンセッションであり、画像入力ジョブ４１１のみでセッションとして制御するものである。５０５はプリントセッションであり、画像出力ジョブ４０１のみでセッションとして制御するものである。
【００５２】
なお、セッションは１つ以上のジョブを含む制御単位であり、画像入力ジョブ４１２と画像出力ジョブ４０１と画像出力ジョブ４０３との組み合わせのように複数の画像出力ジョブ（又は画像入力ジョブ）どうしを組み合わせて１セッションとして扱っても良い。
【００５３】
図６は、図５に示した各種セッションを管理するセッション管理テーブルを示す模式図である。
【００５４】
図において、７００はセッション管理テーブルで、図５に示した各種セッションを管理するためのものであり、図３に示したＣＰＵ１２３により生成され、メモリ１２４に格納され、セッションが終了するまで保持される。
【００５５】
７０１はセッションＩＤフィールドで、本実施形態の画像入出力装置中でのユニークなセッションＩＤを生成して保持するものである。７０２はセッションタイプフィールドで、生成されたセッションのタイプ（ＰＤＬプリントセッション、コピーセッション、ＰＤＬ記録セッション、スキャンセッション、プリントセッション等）を特定するものであり、本実施形態ではＰＤＬプリントセッションであることを記録しておく。
【００５６】
７０３はセッション優先順位フィールドで、当該セッションの処理順序に関する優先順位を保持するものである。７０４はセッションステータスフィールドで、当該セッションの実行状態（実行可能状態、実行状態、中断状態、終了状態、エラー状態等）を実行状態に応じて保持するものである。７０５はリンクジョブ数フィールドで、当該セッションを構成する画像入力ジョブおよび画像出力ジョブの構成数を保持するものであり、本実施形態では画像入力ジョブ４１２と画像出力ジョブ４０１の２つのジョブ数が設定される。
【００５７】
７０６は第１のジョブポインタフィールドで、画像入力ジョブ４１２のジョブ管理テーブル７１０へのポインタである。また、７０７は第２のジョブポインタフィールドで、画像出力ジョブ４０１のジョブ管理テーブル７３０へのポインタである。
【００５８】
画像入力ジョブ４１２のジョブ管理テーブル７１０において、７１１はジョブＩＤフィールドで、本実施形態の画像入出力装置中でのユニークなジョブＩＤを生成して保持するものである。７１２はジョブタイプフィールドで、生成されたジョブのタイプ（前述した画像入力ジョブおよび画像出力ジョブ）を特定するものであり、本実施形態では、ＲＩＰ部８で展開された画像データを順次ストレージ部５へ記録する画像入力ジョブ４１２であることを記録しておく。
【００５９】
７１３はジョブ優先順位フィールドで、当該ジヨプの処理順序に関する優先順位を保持するものである。７１４はジョブステータスフィールドで、当該ジョブの実行状態（実行可能状態、実行状態、中断状態、終了状態、エラー状態等）を実行状態に応じて保持するものである。７１５はページ数フィールドで、当該ジョブのページ数を保持するものである。７１６はページポインタフィールドで、当該ジョブが管理する各ページの詳細情報を記述するページ管理テーブル７２０へのポインタである。７２０はページ管理フィールドで、ハードディスク６上に記録される。
【００６０】
７１７はジョブパラメータフィールドで、当該ジョブうの各種設定パラメータを保持するものであり、本実施形態ではＰＣ／ＷＳ１１上でユーザが設定するプリント設定（部数、用紙サイズ、拡大縮小率、片面／両面、ページ出力順序、ソート出力、ステイプル止めの有無等）が保持される。
【００６１】
ページ管理フィールド７２０において、７２１，７２２，……，７２ｐは、ページ１，ページ２，……，ページｐのフィールドで、それぞれ各種画像属性情報（解像度、画素数等）が記録される。
【００６２】
画像出力ジョブ４０１のジョブ管理テーブル７３０において、７３１はジョブＩＤフィールドで、本実施形態の画像入出力装置中でのユニークなジョブＩＤを生成して保持するものである。７３２はジョブタイプフィールドで、生成されたジョブのタイプ（前述した画像入力ジョブおよび画像出力ジョブ）を特定するものであり、本実施形態では、ストレージ部５に記録された画像データを順次プリンタ部２へプリントアウトする画像出力ジョブ４０１であることを記録しておく。
【００６３】
７３３はジョブ優先順位フィールドで、当該ジョブの処理順序に関する優先順位を保持するものである。７３４はジョブステータスフィールドで、当該ジョブの実行状態（実行可能状態、実行状態、中断状態、終了状態、エラー状態等）を実行状態に応じて保持するものである。７３５はページ数フィールドで、当該ジョブのページ数を保持するものである。
【００６４】
ページポインタフィールド７３６は、当該ジョブが管理する各ページの詳細情報を記述するページ管理テーブル７４０へのポインタである。ページ管理テーブル７４０の実体は、画像入力ジョブ４１２でハードディスク６上に記録されたページ管理テーブル７２０と同一のものである。ジョブパラメータフィールド７３７は当該ジョブの各種設定パラメータを保持するものであり、本実施形態ではＰＣ／ＷＳ１１上でユーザが設定するプリント設定（部数、用紙サイズ、拡大縮小率、片面／両面、ページ出力順序、ソート出力、テイプル止めの有無等および文書名称や記録日時等の文書管理情報）が保持される。
【００６５】
ページ管理フィールド７４０において、７４１，７４２，……，７４ｐは、ページ１，ページ２，……，ページｐのフィールドで、それぞれ各種画像属性情報（解像度、画素数等）が記録される。
【００６６】
以下、図７のフローチャートを参照して、本発明の画像形成装置を適用可能な画像入出力装置のセッション制御およびジョブ制御の一例について説明する。
【００６７】
図７は、本発明の画像形成装置を適用可能な画像入出力装置の第１の制御処理手順を説明するフローチャートであり、画像入出力装置のセッション制御およびジョブ制御の一例として、ＰＤＬプリントセッション５０１と、それを構成するＲＩＰ部８で展開された画像データを順次ストレージ部５へ記録する画像入力ジョブ４１２およびストレージ部５に記録された画像データを順次プリンタ部２ヘプリントアウトする画像出力ジョブ４０１の制御手順に対応する。なお、このフローチャートの処理は、図３示したＣＰＵ１２３がメモリ１２４又は図示しないその他の記憶媒体に格納されたプログラムに基づいて実行するものとする。また、Ｓ６０１〜Ｓ６１５は各ステップを示す。
【００６８】
まず、ステップＳ６０１において、ＰＣ／ＷＳ１１上でユーザがプリント設定を行う。プリント設定内容は、部数、用紙サイズ、拡大縮小率、片面／両面、ページ出力順序、ソート出力、ステイプル止めの有無等である。プリント設定後、ユーザはＰＣ／ＷＳ１１上で印刷指示を与え、それと共にＰＣ／ＷＳ１１上にインストールされているドライバソフトウェアが印刷対象となる文書データをいわゆるＰＤＬデータに変換して、設定したプリント設定パラメータとともに、ＰＣ／ＷＳ１１に接続されたコンピュータインタフェース経由で、本画像入出力装置のコンピュータインタフェース部７にＰＤＬデータを転送する。
【００６９】
コンピュータインタフェース部７を介して入力された画像を表すＰＤＬデータがデータ処理部１２１に転送された後、ＲＩＰ部８へ転送され、ＲＩＰ部８では、転送されたＰＤＬデータを順次画像データに展開（ラスタライズ）する。ＲＩＰ部８でＰＤＬデータを受信開始すると、ＲＩＰ部８からコア部１０へ処理要求が発行される。コア部１０では、発行された処理要求をＣＰＵ１２３が受付ける。ここで、ユーザが設定したプリント設定もＣＰＵ１２３へ転送される。
【００７０】
次に、ステップＳ６０２において、ＲＩＰ部８から発行された処理要求から内部的にセッションを生成して管理する。具体的には、セッション管理テーブル７００をメモリ１２４上に作成し、各種情報をセッションが終了するまで保持する。
【００７１】
次に、ステップＳ６０３において、画像入力ジョブ４１２のジョブ管理テーブル７１０をメモリ１２４上に作成し、各種情報をジョブが終了するまで保持する。次に、ステップＳ６０４において、生成した画像入力ジョブ４１２の処理を開始する。次に、ステップＳ６０５において、ＲＩＰ部８で展開された画像データ１ページの受信を行う。即ち、ＲＩＰ部８からインタフェース１２０を介してデータ処理部１２１への画像転送を行う。
【００７２】
次に、ステップＳ６０６において、データ処理部１２１に転送された画像データをストレージ部５のハードディスク６に記録する。この時、ページ管理テーブル７２０中のページ１のフィールド７２１（カレントページ数のフィールド）に各種画像属性情報（解像度、画素数等）を記録する。
【００７３】
次にステップＳ６０７において、ＲＩＰ部８にて展開された処理すべき全てのページが画像データとしてハードディスク６に記録されたかどうか（即ちカレントのページが最終ページであるかどうか）を判断し、処理されていないページが残っている（最終ページでない）と判断された場合は、処理をステップＳ６０５に戻り次のページの処理を行う。
【００７４】
一方、ステップＳ６０７で全てのページが処理された（カレントのページが最終ページである）と判断された場合は、処理をステップＳ６０８に進める。
【００７５】
ステップＳ６０８において、上記ステップＳ６０３で生成されたジョブ管理テーブル７１０中のジョブステータスを終了状態として、ステップＳ６０９へ進む。
【００７６】
次に、ステップＳ６０９において、画像出力ジョブ４０１のジョブ管理テーブル７３０をメモリ１２４上に作成し、各種情報をジョブが終了するまで保持する。
【００７７】
次に、ステップＳ６１０において、生成した画像出力ジョブ４０１の処理を開始する。ステップＳ６１１において、ステップＳ６０６でストレージ部５のハードディスク６に記録されたページ毎の画像データを順次読み出して、インタフェース１２０を介してデータ処理部１２１に画像転送する。
【００７８】
次にステップＳ６１２において、データ処理部１２１に転送された画像データをインタフェース１２２を介してプリンタ部２へ画像転送し、プリンタ部２で前述したように画像形成を行ないプリントアウトする。
【００７９】
次にステップＳ６１３において、ハードディスク６に記録されたページ毎の画像データが全てプリントアウトされたかどうか（即ち、カレントページが最終ページであるか）を判断し、処理されていないページが残っている（最終ページでない）と判断された場合は、処理をステップＳ６１１に戻し、次ページの処理を行う。
【００８０】
一方、ステップＳ６１３で全てのページが処理された（カレントのページが最終ページである）と判断された場合は、処理をステップＳ６１４に進める。
【００８１】
次に、ステップＳ６１４において、上記のステップＳ６０９で生成されたジョブ管理テーブル７３０中のジョブステータスを終了状態として、ステップＳ６１５へ進む。
【００８２】
次に、ステップＳ６１５において、上記のステップＳ６０３およびステップＳ６０９で生成されたジョブ管理テーブル７１０，７３０と、ステップＳ６０６で生成されたページ管理テーブル、ページ毎の画像データを破棄して資源を開放すると共に、上記のステップＳ６０２で生成されたセッション管理テーブル７００も破棄し、資源を開放して一連の処理を終了する。
【００８３】
以上、ＰＣ／ＷＳ１１上で設定したプリント設定に従って、ＰＣ／ＷＳ１１からＰＤＬデータとして画像情報を転送し、本画像入出力装置でＰＤＬデータを画像データに展開してプリント出力する形態について説明したが、リーダ部１で読み取った画像情報をプリント出力する場合、即ちコピーセッション５０２についても同様に適用することが可能である。
【００８４】
さらに、ＰＤＬ記録セッション５０３およびスキャンセッション５０４についても、上述したフローチャートにおいて、画像出力ジョブに関する制御ステップＳ６０４，Ｓ６０６，Ｓ６０８が省略されるだけで全く同様に適用することが可能である。
【００８５】
さらに、プリントセッション５０５についても、上述したフローチャートにおいて、画像入力ジョブに関する制御ステップＳ６０３，Ｓ６０５，Ｓ６０７が省略されるだけで全く同様に適用することが可能である。
【００８６】
このように、任意の画像入力ジョブと任意の画像出力ジョブを組み合わせて任意のセッションを構成しても本実施形態を同様に適用することが可能である。
【００８７】
次に、本実施形態に係る画像入出力装置における複数文書の合紙出力方法に関して説明する。なお、合紙と仕切紙は同じものを指すものとする（同じ意味として用いる）。
【００８８】
図８は、図１に示した操作部９の構成を示す平面図である。
【００８９】
図において、８０１は電源キーで、本体ヘの通電を制御する。８０２は予熱キーで、予熱モードのＯＮ／ＯＦＦに使用する。８０３はコピー機能選択キーで、複数の機能の中からコピーモードを選択するときに使用する。８０４はファクシミリ機能選択キーで、複数の機能の中からファクシミリモードを選択するときに使用する。
【００９０】
８０５はボックス機能選択キーで、複数の機能の中からボックスモードを選択するときに使用する。ボックス機能とは、ユーザ個人や部署毎に複写機内のメモリに記憶領域を持ち、そこにＰＤＬやスキャン画像等複数の文書を入れておき（記憶しておき）、好きなときに出力する機能であり、ハードディスク６中に設けられた複数のボックスに対してボックス名称を付加することができる。
【００９１】
８０６はスタートキーで、コピーの開始を指示するときに用いるキーである。８０７はストップキーで、コピーを中断したり、中止したりするときに用いるキーである。
【００９２】
８０８はリセットキーで、スタンバイ中は標準モードに復帰させるキーとして動作する。８０９は操作ガイドキーで、各機能を知りたいときに使用するキーである。８１０はユーザモード設定キーで、ユーザがシステムの基本設定を変更するときに使用する。８１１は割込みコピーキーで、コピー中に割り込みしてコピーしたいときに用いる。
【００９３】
８１２は１０キー（テンキー）で、数値を入力するときに用いる。８１３はクリアキーで、数値をクリアするときに用いる。８１４はファクシミリワンタッチキーで、各キーに対して記憶されたファクシミリ番号にワンタッチで送信することができる。また、ファクシミリワンタッチキー８１４は、１つのキーに対して２つのファクシミリ番号を登録することができ、ワンタッチキーの切り替え蓋８１５の開閉により切り替えることができる。
【００９４】
８１６はタッチパネルで、液晶画面（ＬＣＤ）とタッチセンサの組合せからなり、モード毎に個別の設定画面が表示され、さらに描画されたキーに触れることで、各種の詳細な設定を行うことが可能である。また、タッチパネル８１６は、各々のジョブの動作状況表示なども行う。
【００９５】
図９は、図８に示した操作部９のタッチパネル８１６上に表示されるボックス一覧表示画面の一例を示す模式図である。
【００９６】
図において、９００はボックス一覧表示画面で、図８に示した操作部９のボックス機能選択キー８０３を押下した場合に表示される。
【００９７】
９０１はボックス００の選択キー、９０２はボックス０１の選択キー、９０３はボックス０２の選択キー、９０４はボックス０３の選択キー、９０５はボックス０４の選択キー、９０６はボックス０５の選択キーであり、これらのキーを押圧することで、対応するボックスを選択することができる。９０７は上スクロールキー、９０８は下スクロールキーで、これらのキーを押圧することで、ボックス一覧表示画面９００に表示しきれないボックスの表示を行うことができる。
【００９８】
図１０，図１１は、図８に示した操作部９のタッチパネル８１６上に表示される文書一覧表示画面の一例を示す模式図である。
【００９９】
図において、１０００は文書一覧表示画面で、図９に示したボックス一覧表示画面９００のボックス選択キー９０１〜９０６のいずれかを押圧した場合に表示される。１００１はボックス名称表示フィールドで、選択されているボックス名が表示される。
【０１００】
１００２は文書名称表示フィールドで、文書名が表示される。１００３は受付時刻表示フィールドで、文書をボックス内に記憶した時刻が表示される。１００４は上スクロールキー、１００５は下スクロールキーで、これらのキーを押圧することで、文書一覧表示画面１０００に表示しきれない文書の表示を行うことができる。
【０１０１】
１００６，１００７，１００８，１００９は文書選択キーで、これらのキーを押圧することで、対応する文書を選択することができる。１０１０は全文書選択ボタンで、ボックス内の全文書を選択するときに押圧する。１０１１は詳細情報表示キーで、選択された文書の詳細情報を表示するときに押圧する。１０１２は消去キーで、選択された文書をボックス（ハードディスク６）から消去するときに押圧する。
【０１０２】
１０１３は文書移動キーで、選択された文書を他のボックスなどに移動するときに押圧する。１０１４はプリントキーで、選択された文書をプリントアウトするときに押圧する。
【０１０３】
１０１５は原稿読み込みキーで、リーダ部１から原稿を読み込み、ボックス内に文書として格納するときに押圧する。１０１６は閉じるキーで、文書一覧表示画面１０００を終了し、ボックス一覧表示画面９００に戻るときに押圧する。
【０１０４】
なお、図１１に文書選択の結果を示す。ここでは、文書選択キー１００６および１００８を押下することにより、複数文書を同時に選択されたことを示している。
【０１０５】
図１２は、図８に示した操作部９のタッチパネル８１６上に表示されるプリント設定画面の一例を示す模式図である。
【０１０６】
図において、１２００はプリント設定画面で、図１０に示した文書一覧表示画面１０００で、文書を選択した後にプリントキー１０１４を押圧した場合に表示される。
【０１０７】
１２０１は文書選択数表示フィールドで、文書一覧表示画面１０００で選択されている文書数を表示する。１２０２は用紙選択キーで、用紙を選択するときに押圧する。１２０３は試しプリントキーで、最初の１枚のみ試しプリントするときに押圧する。１２０４は表紙／仕切紙キーで、表紙／仕切紙を付けるときに押下する。１２０５はソータキーで、ソート出力するときに押圧する。１２０６は両面キーで、両面印刷を行う（記録紙の両面に画像形成する両面画像形成モードを設定する）ときに押圧する。
【０１０８】
１２０７は製本キーで、製本印刷を行うときに押圧する。１２０８は文書結合キーで、選択された複数の文書を結合するときに押圧する。１２０９は初期値に戻す設定リセットキーで、プリント設定を初期値に戻すときに押下する。１２１０はキャンセルキーで、プリント設定をキャンセルして文書一覧表示画面１０００に戻るときに押下する。１２１１はプリント開始キーで、プリント設定画面１２００上でのプリント設定で、プリントを開始するときに押下する。
【０１０９】
図１３は、図８に示した操作部９のタッチパネル８１６上に表示される表紙／仕切紙詳細設定画面の一例を示す模式図である。
【０１１０】
図において、１３００は表紙／仕切紙詳細設定画面で、図１２に示したプリント設定画面１２００で文書結合ボタン１２０８を押圧し、さらに表紙／仕切紙キー１２０４を押圧することにより表示される。
【０１１１】
１３０１は表紙選択キーで、表紙を付加する場合に押圧する。１３０２は裏表紙選択キーで、裏紙を付加する場合に押圧する。１３０３は仕切紙選択キーで、仕切紙を挿入する場合に押圧する。
【０１１２】
１３０４は設定取り消しキーで、表紙／仕切紙詳細設定画面１３００の設定を取り消す場合に押圧する。１３０５は戻るキーで、このキーを押圧することにより図１２に示したプリント設定画面１２００に戻る。１３０６は次画面へ進む次へキーで、表紙／仕切紙詳細設定画面１３００の設定を有効にして、後述する図１４に示す給紙段選択画面１４００に切り替わる。
【０１１３】
図１４は、図８に示した操作部９のタッチパネル８１６上に表示される給紙段選択画面１４００の一例を示す模式図である。
【０１１４】
図において、１４０１は表紙給紙段選択キーで、表紙給紙段を選択する場合に押圧する。１４０２は裏表紙給紙段選択キーで、裏表紙給紙段を選択する場合に押圧する。１４０３は仕切紙給紙段選択キーで、仕切紙給紙段を選択する場合に押圧する。表紙給紙段選択キー１４０１、裏表紙給紙段選択キー１４０２、仕切紙給紙段選択キー１４０３のいずれかを押圧すると、後述する図１５に示す給紙段選択画面１５００が表示される。
【０１１５】
１４０４は設定取り消しキーで、給紙段選択画面１４００の設定を取り消す場合に押圧する。１４０５は戻るキーで、このキーを押圧することにより図１３に示した表紙／仕切紙詳細設定画面１３００に戻る。１４０６はＯＫキーで、このキーを押圧することにより、給紙段選択画面１４００の設定を有効にして、図１２に示したプリント設定画面１２００に戻る。
【０１１６】
図１５は、図８に示した操作部９のタッチパネル８１６上に表示される給紙段選択画面１５００の一例を示す模式図であり、図１４に示した給紙段選択画面１４００の表紙給紙段選択キー１４０１、裏表紙給紙段選択キー１４０２、仕切紙給紙段選択キー１４０３のいずれかを押圧することにより表示される。
【０１１７】
図において、１５０１〜１５０５は各給紙段の選択キーで、これらのキーを押圧することにより、図１４の給紙段選択画面１４００で選択されている表示・裏表紙／仕切紙の給紙元を対応する給紙段に選択する。１５０６は手差し変更予約キーで、手差し給紙するタイミングで手差しトレイ２１１上の用紙を変更することを予約設定する。１５０７は閉じるキーで、このキーを押圧すると、図１４の給紙段選択画面１４００に戻る。
【０１１８】
図１６は、図８に示した操作部９のタッチパネル８１６上に表示されるプリント出力中画面１６００の一例を示す模式図であり、図１２に示したプリント開始キー１２１１を押圧してプリントが開始されることにより表示される。
【０１１９】
図において、１６０１はうすくキー、１６０２はこくキーで、これらのキーを押圧することにより、プリント濃度を変更することができる。１６０３はプリント状況表示で、現在処理中のプリント出力のプリント状況を表示する。１６０４は中止キーで、このキーを押圧することにより、現在処理中のプリント出力を中止することができる。１６０５は閉じるキーで、このキーを押圧することにより、プリント出力中画面１６００を閉じることができる。
【０１２０】
図１７は、本発明の画像形成装置を適用可能な画像入出力装置の出力例を示す模式図であり、図１０に示した文書一覧表示画面１０００で文書１，文書２を文書１，文書２の順序で選択し、図１３に示した表紙／仕切紙詳細設定画面１３００で表紙，合紙，裏表紙を付すように設定し、プリント出力した場合に対応する。
【０１２１】
以下、図１８を参照して、本発明の画像形成装置を適用可能な画像入出力装置による複数文書の合紙出力方法の制御手順について説明する。
【０１２２】
図１８は、本発明の画像形成装置を適用可能な画像入出力装置の第２の制御処理手順を説明するフローチャートであり、複数文書の合紙出力方法の制御手順に対応する。なお、このフローチャートの処理は、図３示したＣＰＵ１２３がメモリ１２４又は図示しないその他の記憶媒体に格納されたプログラムに基づいて実行するものとする。また、Ｓ２００１〜Ｓ２０１２は各ステップを示す。
【０１２３】
まず、ステップＳ２００１において、操作部９のボックス機能選択キー８０３を押下し、図９に示したボックス一覧表示画面９００を表示する。
【０１２４】
次にステップＳ２００２において、ボックス００の選択キー９０１を押圧すると、ステップＳ２００３において、図１０に示した文書一覧表示画面１０００が表示される。
【０１２５】
次にステップＳ２００４において、文書一覧表示画面１０００に表示される文書の選択を行う。ここでは、図１１に示したように文書選択キー１００６，１００８を順次押圧することにより、複数文書を同時に選択し、プリントキー１０１４を押圧すると、図１２に示したプリント設定画面１２００を表示し、ステップＳ２００５へ進む。
【０１２６】
ステップＳ２００５において、図１２〜図１５に示した各種画面でプリント設定（文書の結合の有無，表紙／裏表紙／仕切紙の設定等も含む）を行い、設定完了後、プリント開始キー１２１１を押圧すると、ステップＳ２００６へ進み、プリント動作を開始する。
【０１２７】
ステップＳ２００６において、ステップＳ２００４で選択された文書が複数文書であるか否かを判定し、複数文書でない、即ち１文書であると判断された場合は、ステップＳ２０１０において、指定された文書をハードディスク６から読み出してプリント動作する。プリント動作については、前述したプリントセッション５０５を生成し、画像出力ジョブ４０１を生成して順次処理することにより行われる。
【０１２８】
なお、プリントを開始すると図１６に示したプリント出力中画面１６００を表示し、ステップＳ２０１０の１文書プリント終了後、プリント出力中画面１６００を閉じて、ステップＳ２００１に戻る。
【０１２９】
一方、ステップＳ２００６で、ステップＳ２００４で選択された文書が複数文書であると判断された場合は、ステップＳ２００７において、ステップＳ２００５で複数文書の結合が設定されたか否かを判定し、文書結合が設定されていない（図１２に示した文書結合キー１２０８で文書結合が設定されなかった）と判断された場合は、ステップＳ２０１１において、指定された複数の文書を順次ハードディスク６から読み出して順次プリント動作する。即ち、文書毎にプリントセッション５０５を生成し、画像出力ジョブ４０１を生成してプリント動作を行う。
【０１３０】
なお、プリントを開始すると図１６に示したプリント出力中画面１６００を表示し、ステップＳ２０１１の複数文書全てのプリント終了後、プリント出力中画面１６００を閉じて、ステップＳ２００１に戻る。
【０１３１】
一方、ステップＳ２００７で、ステップＳ２００５で複数文書の結合が設定された（図１２に示した文書結合キー１２０８で文書結合が設定された）と判断された場合は、ステップＳ２００８において、ステップＳ２００５で表紙／裏表紙／合紙の挿入が設定されたか否かを判定し、表紙／裏表紙／合紙の挿入が設定されていない（図１２に示した表紙／仕切紙指定キー１２０４，図１３〜図１５より表紙／裏表紙／合紙が設定されなかった）と判断された場合は、ステップＳ２０１２において、選択された複数の文書の各々の頁を順次出力する。即ち、プリントセッション５０５を生成し、画像出力ジョブ４０１を生成してプリント動作を行う。この場合は、選択された複数文書に含まれるページ数の合計を１つの画像出力ジョブとして処理する。
【０１３２】
なお、プリントを開始すると図１６に示したプリント出力中画面１６００を表示し、ステップＳ２０１２の結合プリント終了後、プリント出力中画面１６００を閉じて、ステップＳ２００１に戻る。
【０１３３】
一方、ステップＳ２００８で、ステップＳ２００５で表紙／裏表紙／合紙の挿入が設定された（図１２に示した表紙／仕切紙指定キー１２０４，図１３〜図１５より表紙／裏表紙／合紙が設定された）と判断された場合は、ステップＳ２００９において、表紙、仕切紙、裏表紙の設定されたモードに従って画像形成する。即ち、プリントセッション５０５を生成し、画像出力ジョブ４０１を生成してプリント動作を行う。この場合は、選択された複数文書に含まれるページ数の合計を１つの画像出力ジョブとして処理する。ここでは、表紙、仕切紙、裏表紙の全てが設定された場合について説明する。
【０１３４】
まず、表紙に指定された給紙段から表紙を一枚給紙して画像形成せずに白紙排出する。次に文書１の画像データを読み出して画像形成し、文書１の画像形成後に、仕切紙に指定された給紙段から仕切紙を一枚給紙して画像形成せずに白紙排出する。次に文書２の画像データを読み出して画像形成し、文書２の画像形成後に、裏表紙に指定された給紙段から裏表紙を一枚給紙して画像形成せずに白紙排出する（図１７）。なお、表紙、仕切紙（合紙）、裏表紙は、一枚であっても、複数枚であってもよい。
【０１３５】
また、プリントを開始すると図１６に示したプリント出力中画面１６００を表示し、ステップＳ２００９の表紙／合紙モード結合プリント終了後、プリント出力中画面１６００を閉じて、ステップＳ２００１に戻る。
【０１３６】
以上説明したように、本発明によれば、画像入出力装置（ハードディスク）内に文書として蓄積された複数の文書を一括してプリント出力する際に、合紙を挿入すべきページ位置を操作部を介してオペレータ自らが指示する等の作業をオペレータに要求することなく、文書と文書の間に合紙を挿入するので、容易に文書と文書の切れ目を区分けすることが可能となる。
【０１３７】
また、表紙や裏表紙を組み合わせたり、複数文書を結合して出力されたこれらのシート群に対してステイプラによるステイプル処理等を指定可能にすることにより（例えば、図１２に示す画面上のソータキー１２０５の押下により移行するモード設定画面（不図示）においてユーザがステイプルモード等を設定した場合）、容易に複数文書を整合した状態でプリント出力を得ることが可能である。これにより、例えば、夫々複数ページからなる複数の文書を、１つの文書として製本化することができると共に、各文書毎に合紙を挿入可能なので、各文書を、第１章、第２章〜というように区分けすることができる。
【０１３８】
さらに、上記実施形態では、表紙、仕切紙、裏表紙を白紙排出する例を説明したが、白紙排出ではなく、表紙、仕切紙、裏表紙に画像形成するように構成してもよい。
【０１３９】
また、両面設定時には文書１が奇数ページの場合、文書１の最終ページの裏面を白紙とし、仕切紙を排出あるいは、仕切紙上に文書２の先頭ページの画像を形成するように構成しても良い。
【０１４０】
このように仕切紙に画像形成することにより、例えば、仕切紙の給紙元を通常の文書を印刷するシートと紙種や色の異なるシートを給紙する給紙段に設定した場合、複数の文書を一括して出力する際でも、文書間に白紙用紙を入れるという用紙の無駄を省きつつ、文書の切れ目を紙種や色により明確にすることができる。
【０１４１】
また、表紙、裏表紙に画像形成することにより、例えば、表紙、裏表紙の給紙元を通常の文書を印刷するシートと紙種や色の異なるシートを給紙する給紙段に設定した上で、表紙に相当する文書、本文に相当する文書、裏表紙に相当する文書を一括して印刷指定するだけで、表紙と裏表紙のみが質のよいシートで印刷された見た目のよい冊子を容易に作成することができる。
【０１４２】
また、複数の文書を１つの文書としてまとめて出力するにあたり、文書の切れ目であってもページ番号をリセットすることなく、そのまま引き続くように、画像と共にシート上にページ番号を形成させるモードを設けておき、ユーザが操作部９上（不図示の頁モード選択手段）で選択できるようにしても良い。
【０１４３】
これにより、例えば、２ページからなる文書１と、３ページからなる文書２と、２ページからなる文書３の、これら３つの文書を１つの文書として出力するべく、文書１から順番に画像形成を行なう場合に、文書２の１ページ目の画像を形成する際に、シート上にページ番号として「１」を形成する事無く「３」を形成し、同様に、文書３の１ページ目の画像を形成する際は、シート上に「６」を形成する。
【０１４４】
さらに、表紙／合紙モードが設定されている場合は、表紙，合紙に、ページ番号を付与するか否かユーザが操作部９上（不図示の頁モード選択手段）で選択可能になるようなモードを設けておき、合紙にもページ番号を付与すると指示されれば、例えば、合紙上にもページ番号を付与し、後続のページのシート上のページ番号もそれに応じてずらしたり、一方、ページ番号は付与しないと指示されれば、合紙にはページ番号を付与しない（このような場合、結果的には上述した例のようになる。）よう制御しても良い。
【０１４５】
また、例えば、ある複数の文書は、大きなテーマで考えると１つの文書としてまとめるべきものの、第１章、第２章〜、というように、文書毎に若干テーマが異なるので、文書間の切れ目で、ページ番号をリセット（再度、ページ番号を１から始める）したいというユーザからの要望も考えられるので、各文書の区切れ目に応じてページ番号をリセットしてシート上に形成するモード（第２のモード）と、文書の切れ目であってもページ番号をリセットすることなく、そのままページ番号を連続させてシート上に形成するモード（第１のモード）とを少なくとも設けておき、ユーザが操作部９上（不図示の頁モード選択手段）でこれらの頁モード（第１のモード，第２のモード）を適宜選択できるようにしてもよい。
【０１４６】
さらに、合紙が挿入されるということは、合紙が挿入される前の文章と後の文書とで内容、テーマ等が異なる可能性が高いことを考慮し、複数の文書を結合して出力する場合に、合紙を挿入するモードが設定されたことに応じて、各文書の区切れ目に応じてページ番号をリセットしてシート上にページ番号を形成するモードを自動的に画像形成装置が選択して実行しても良いし、また、ページ番号をシート上に付加するモードを実行すること自体、禁止するよう制御しても良い。
【０１４７】
なお、上述したようなこれらの場合でも、表紙／合紙にページ番号を付与するか否かユーザにより選択可能にする。
【０１４８】
また、本実施形態では、主に、装置のハードディスク６に格納された文書同士の結合について説明したが、これに限らず、スキャナから入力される文書同士の結合でも良いし、スキャナからの文書とハードディスク６に格納された文書との結合でもよく、また、ホストから出力される複数文書の各文書同士の結合等でも本形態を適用できる。
【０１４９】
以上説明したように、本発明によれば、画像入出力装置内に蓄積された複数の文書を出力する際に、文書と文書の間に自動的に合紙を挿入することで、容易に文書と文書の切れ目が区分けすることが可能であるという効果を奏する。
【０１５０】
なお、本発明の画像形成装置は、電子写真方式でも、インクジェット方式、昇華方式、熱転写方式でもその他の方式でもよい。
【０１５１】
また、挿入される表紙，合紙，裏表紙は、一枚であっても複数枚であってもよいし、その数をそれぞれ操作部９またはＰＳ／ＷＳ１１より設定するように構成してもよい。
【０１５２】
以下、図１９に示すメモリマップを参照して本発明に係る画像形成装置で読み出し可能なデータ処理プログラムの構成について説明する。
【０１５３】
図１９は、本発明に係る画像形成装置で読み出し可能な各種データ処理プログラムを格納する記憶媒体のメモリマップを説明する図である。
【０１５４】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１５５】
さらに、各種プログラムに従属するデータも上記ディレクトリに管理されている。また、インストールするプログラムやデータが圧縮されている場合に、解凍するプログラム等も記憶される場合もある。
【０１５６】
本実施形態における図７，図１８に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１５７】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１５８】
この場合、記憶媒体から読み出されたプログラムコード自体が本発明の新規な機能を実現することになり、そのプログラムコードを記憶した記憶媒体は本発明を構成することになる。
【０１５９】
プログラムコードを供給するための記憶媒体としては、例えば、フロッピーディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１６０】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１６１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６２】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０１６３】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０１６４】
【発明の効果】
以上説明したように、請求項１記載の本発明によれば、第１の文書データ及び第２の文書データを含む複数の文書データを記憶可能な記憶手段の文書データを印刷するよう制御する印刷装置であって、前記記憶手段に記憶された第１の文書データに対応する印刷物を出力するための第１の指示、または、前記記憶手段に記憶された第２の文書データに対応する印刷物を出力するための第２の指示、または、前記記憶手段に記憶された前記第１の文書データと前記第２の文書データに対応する印刷物を出力するための第３の指示、または、合紙を挿入する指示を、操作手段を介してユーザから受け付け、前記第１の指示を受け付けた場合に前記第１の文書データに対応する印刷物を出力し、前記第２の指示を受け付けた場合に前記第２の文書データに対応する印刷物を出力し、前記第３の指示を受け付けた場合に、前記第１の文書データと前記第２の文書データに対応する印刷物を出力させることができ、前記第３の指示を受付け、合紙を挿入するよう指示された場合に、前記第１の文書データに対応する印刷物と前記第２の文書データに対応する印刷物との間に合紙が挿入させることができ、記憶手段に記憶された第１の文書データと第２の文書データに対応する印刷物を出力するための第３の指示を受け付け、記憶手段に記憶された第１の文書データと第２の文書データに対応する印刷物を出力した場合でも、容易に第１の文書データに対応する印刷物と第２の文書データに対応する印刷物の切れ目を区分けすることができる。
【図面の簡単な説明】
【図１】本発明の一実施形態を示す画像形成装置を適用可能な画像入出力装置の構成を示すブロック図である。
【図２】図１に示したリーダ部及びプリンタ部の断面図である。
【図３】図１に示したコア部の構成を説明するブロック図である。
【図４】本発明の画像形成装置を適用可能な画像入力装置におけるジョブ制御の単位を論理的に示した図である。
【図５】図４に示した複数のジョブ（画像入力ジョブ，画像出力ジョブ）を組み合わせた単位（以下セッションと呼ぶ）の一例を示した図である。
【図６】図５に示した各種セッションを管理するセッション管理テーブルを示す模式図である。
【図７】本発明の画像形成装置を適用可能な画像入出力装置の第１の制御処理手順を説明するフローチャートである。
【図８】図１に示した操作部の構成を示す平面図である。
【図９】図８に示した操作部のタッチパネル上に表示されるボックス一覧表示画面の一例を示す模式図である。
【図１０】図８に示した操作部のタッチパネル上に表示される文書一覧表示画面の一例を示す模式図である。
【図１１】図８に示した操作部のタッチパネル上に表示される文書一覧表示画面の一例を示す模式図である。
【図１２】図８に示した操作部のタッチパネル上に表示されるプリント設定画面の一例を示す模式図である。
【図１３】図８に示した操作部のタッチパネル上に表示される表紙／仕切紙詳細設定画面の一例を示す模式図である。
【図１４】図８に示した操作部のタッチパネル上に表示される給紙段選択画面の一例を示す模式図である。
【図１５】図８に示した操作部のタッチパネル上に表示される給紙段選択画面の一例を示す模式図である。
【図１６】図８に示した操作部のタッチパネル上に表示されるプリント出力中画面の一例を示す模式図である。
【図１７】本発明の画像形成装置を適用可能な画像入出力装置の出力例を示す模式図である。
【図１８】本発明の画像形成装置を適用可能な画像入出力装置の第２の制御処理手順を説明するフローチャートである。
【図１９】本発明に係る画像形成装置で読み出し可能な各種データ処理プログラムを格納する記憶媒体のメモリマップを説明する図である。
【符号の説明】
１  リーダ部
２  プリンタ部
３  画像入出力制御部
４  ファクシミリ部
５  ストレージ部
７  コンピュータインタフェース部
８  ＲＩＰ部
９  操作部
１０  コア部
１１  コンピュータ機器（ＰＣ／ＷＳ）
１２３  ＣＰＵ
１２４  メモリ
１２０４  表紙／仕切紙キー
【図１】
0004454783.tif 000002
【図２】
0004454783.tif 000003
【図３】
0004454783.tif 000004
【図４】
0004454783.tif 000005
【図５】
0004454783.tif 000006
【図６】
0004454783.tif 000007
【図７】
0004454783.tif 000008
【図８】
0004454783.tif 000009
【図９】
0004454783.tif 000010
【図１０】
0004454783.tif 000011
【図１１】
0004454783.tif 000012
【図１２】
0004454783.tif 000013
【図１３】
0004454783.tif 000014
【図１４】
0004454783.tif 000015
【図１５】
0004454783.tif 000016
【図１６】
0004454783.tif 000017
【図１７】
0004454783.tif 000018
【図１８】
0004454783.tif 000019
【図１９】
0004454783.tif 000020